【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
下面が平坦に形成された上部熱盤と、
前記上部熱盤を支持する上部定盤と、
前記上部熱盤の下面と対向するよう設けられ、上面が平坦に形成された下部熱盤と、
前記下部熱盤を支持する下部定盤と、
前記上部及び下部熱盤に定められた第１の領域を第１の温度に加熱する第１の加熱手段と、
前記上部及び下部熱盤において前記第１の領域に対して各熱盤の面方向に隣接して定められた第２の領域を前記第１の温度より高い第２の温度に加熱する第２の加熱手段と、
前記上部及び下部熱盤の少なくとも一方を駆動して前記上部熱盤と下部熱盤との間に配置された被加工物を押圧する押圧手段と、
前記第１の領域から前記第２の領域に向う搬送方向に該被加工物を搬送する被加工物搬送手段と
を有し、
前記上部及び下部定盤には、前記第１の領域と前記第２の領域に夫々少なくとも一対のディスタンスバーが設けられ、
前記上部定盤のディスタンスバーと前記下部定盤のディスタンスバーとが当接することによって、該被加工物が押圧されている時の前記上部熱盤の下面と前記下部熱盤の上面との間隔が領域毎に規定される連続プレス装置。
【請求項２】
前記上部及び下部熱盤は夫々一体に構成されていることを特徴とする請求項１に記載の連続プレス装置。
【請求項３】
前記上部及び下部定盤は夫々一体に構成されていることを特徴とする請求項１又は請求項２に記載の連続プレス装置。
【請求項４】
前記押圧手段は、該第１の領域に配された該被加工物を押圧する第１押圧部と、該第２の領域に配された該被加工物を押圧する第２押圧部と、を有する、ことを特徴する請求項１から請求項３のいずれか一項に記載の連続プレス装置。
【請求項５】
前記第１の温度は該被加工物のガラス転位温度に略等しい、ことを特徴とする請求項１から請求項４のいずれか一項に記載の連続プレス装置。
【請求項６】
前記第２の温度は該被加工物の成形温度に略等しい、ことを特徴とする請求項１から請求項５のいずれか一項に記載の連続プレス装置。
【請求項７】
該被加工物が熱硬化性樹脂を含み、該成形温度は該熱硬化性樹脂の硬化温度域に設定されている、ことを特徴とする請求項６に記載の連続プレス装置。
【請求項８】
前記被加工物搬送手段は、前記第１及び第２の押圧手段が該被加工物を押圧していない時に該被加工物を移動させる、ことを特徴とする請求項１から請求項７のいずれか一項に記載の連続プレス装置。
【請求項９】
下面が平坦に形成された上部熱盤と、
前記上部熱盤の下面と対向するよう設けられ、上面が平坦に形成された下部熱盤と、
前記上部及び下部熱盤に定められた第１の領域を第１の温度に加熱する第１の加熱手段と、
前記上部及び下部熱盤において、前記第１の領域に対して各熱盤の面方向に隣接して定められた第２の領域を前記第１の温度より高い第２の温度に加熱する第２の加熱手段と、
前記上部及び下部熱盤の少なくとも一方を駆動して前記上部熱盤と前記下部熱盤との間に配置された被加工物を押圧する押圧手段と、
前記第１の領域から前記第２の領域に向う搬送方向に該被加工物を搬送する被加工物搬送手段と、
を有し、
前記被加工物搬送手段は、
一対のプーリを有する下側プーリ対に掛け渡され、その上に該被加工物が載置される下側無端ベルトと、
一対のプーリを有する上側プーリ対に掛け渡され、該被加工物を介して前記下側無端ベルトと対向するように配置されている上側無端ベルトと、
前記上側無端ベルトと前記下側無端ベルトとを駆動するベルト駆動手段と、
を有し、
前記下側無端ベルトの上側の部分及び前記上側無端ベルトの下側の部分は、前記上部及び下部熱盤の間に配置されており、
前記ベルト駆動手段は、
前記上側無端ベルトの下側の部分及び前記下側無端ベルトの上側の部分を介して該被加工物を把持可能なグリッパと、
該搬送方向及び、該搬送方向の反対方向である後退方向に前記グリッパを往復移動させるグリッパ駆動手段と、
を有し、
該被加工物を、前記下側無端ベルトの上側の部分と前記上側無端ベルトの下側の部分とで挟んだ状態で搬送するとともに、前記上部及び下部熱盤によって前記下側無端ベルトの上側の部分と前記上側無端ベルトの下側の部分ごと押圧するようになっている、
ことを特徴とする連続プレス装置。
【請求項１０】
前記グリッパ駆動手段は、シリンダ機構によって前記グリッパを往復移動させる、ことを特徴とする請求項９に記載の連続プレス装置。
【請求項１１】
前記グリッパは、前記上部及び下部熱盤に対して、搬送方向側又は後退方向側のいずれかに配置されている、ことを特徴とする請求項９又は請求項１０に記載の連続プレス装置。
【請求項１２】
前記下側プーリ対のプーリの一方は他方に対して離間する方向に付勢されており、
前記上側プーリ対のプーリの一方は他方に対して離間する方向に付勢されている、
ことを特徴とする請求項９から請求項１１のいずれか一項に記載の連続プレス装置。
【請求項１３】
前記下側プーリ対のプーリの一方は、他方に対して該搬送方向及び該後退方向に微小移動可能に支持されており、
前記上側プーリ対のプーリの一方は、他方に対して該搬送方向及び該後退方向に微小移動可能に支持されている、
ことを特徴とする請求項１２に記載の連続プレス装置。
【請求項１４】
前記上側無端ベルトの下側の部分と下側無端ベルトの上側の部分とを互いに近接させる方向に付勢するベルト付勢手段をさらに有する、ことを特徴とする請求項９から請求項１３のいずれか一項に記載の連続プレス装置。
【請求項１５】
前記ベルト付勢手段は、上部及び下部熱盤による該被加工物の押圧が終了して両熱盤が互いに離間した後、所定時間上側及び下側無端ベルトと該被加工物とが当接した状態を保持し、次いで両無端ベルトの少なくとも一方が他方から徐々に離れるよう、前記上側及び下側無端ベルトを付勢する、ことを特徴とする請求項１４に記載の連続プレス装置。
【請求項１６】
前記ベルト付勢手段は、
前記上部熱盤の上流側及び下流側に設けられ、前記上側無端ベルトの下側の部分を上面側から付勢するとともに、前記上側無端ベルトの進行にともなって回動するよう構成されている一対の上側付勢ローラと、
前記下部熱盤双方の上流側及び下流側に設けられ、前記下側無端ベルトの上側の部分を下面側から付勢するとともに、前記下側無端ベルトの進行にともなって回動するよう構成されている一対の下側付勢ローラと、
を有する、ことを特徴とする請求項１４又は請求項１５に記載の連続プレス装置。
【請求項１７】
前記上部及び下部熱盤の、前記第２の領域よりも搬送方向側には第３の領域が定められており、
両熱盤の該第３の領域を第３の温度に加熱する第３の加熱手段をさらに有し、
前記被加工物搬送手段は、該被加工物を該第２の領域から該第３の領域に搬送する、
ことを特徴とする請求項１から請求項１６のいずれか一項に記載の連続プレス装置。
【請求項１８】
前記押圧手段は、該第３の領域に配された該被加工物を押圧する第３押圧部を有する、ことを特徴とする請求項１７に記載の連続プレス装置。
【請求項１９】
該第３の温度は該第２の温度に略等しく、
前記熱盤間隔規定手段は、該被加工物が押圧されている時の該第３の領域における前記上部熱盤と前記下部熱盤との間隔を、該第２の領域における該間隔に略等しい間隔に規定する、
ことを特徴とする請求項１８に記載の連続プレス装置。
【請求項２０】
前記上部及び下部熱盤に対して搬送方向側に配置された、互いに対向する第１及び第２の冷却盤をさらに有し、
前記被加工物搬送手段は、該被加工物を前記上部及び下部熱盤の間から、前記第１及び第２の冷却盤の間に移動させ、
前記上部及び下部熱盤によって熱圧締されたあとの該被加工物の熱が該第１及び第２の冷却盤に移動できるように前記第１及び第２の冷却盤の温度を制御する冷却盤温度制御手段と、
前記第１及び第２の冷却盤の少なくとも一方を駆動して、該被加工物に該第１及び第２の冷却盤を当接させる冷却盤駆動手段と、
をさらに有する、ことを特徴とする請求項１から請求項１９のいずれか一項に記載の連続プレス装置。
【請求項２１】
前記冷却盤温度制御手段は、前記第１及び第２の冷却盤を前記第１の温度よりも低い第４の温度に維持する、ことを特徴とする請求項２０に記載の連続プレス装置。
【手続補正２】
【補正対象書類名】明細書
【補正対象項目名】０００８
【補正方法】変更
【補正の内容】
【０００８】
上記の目的を達成するため、本発明の連続プレス装置は、下面が平坦に形成された上部熱盤と、上部熱盤を支持する上部定盤と、上部熱盤の下面と対向するよう設けられ、上面が平坦に形成された下部熱盤と、下部熱盤を支持する下部定盤と、上部及び下部熱盤に定められた第１の領域を第１の温度に加熱する第１の加熱手段と、上部及び下部熱盤において第１の領域に対して各熱盤の面方向に隣接して定められた第２の領域を第１の温度より高い第２の温度に加熱する第２の加熱手段と、上部及び下部熱盤の少なくとも一方を駆動して上部熱盤と下部熱盤との間に配置された被加工物を押圧する押圧手段と、第１の領域から第２の領域に向う搬送方向に該被加工物を搬送する被加工物搬送手段とを有し、上部及び下部定盤には、第１の領域と第２の領域に夫々少なくとも一対のディスタンスバーが設けられ、上部定盤のディスタンスバーと下部定盤のディスタンスバーとが当接することによって、該被加工物が押圧されている時の上部熱盤の下面と下部熱盤の上面との間隔が領域毎に規定される。
【手続補正３】
【補正対象書類名】明細書
【補正対象項目名】０００９
【補正方法】変更
【補正の内容】
【０００９】
このような構成とすると、第１の領域では低温でプレスされて被加工物の形状が整えられ、次いで被加工物が第２の領域に搬送されて高温で熱圧締される。従って、被加工物の急激な加熱に起因する欠陥を防止することができる。また、本発明においては、被加工物と当接する面が平坦に形成された一対の熱盤にて被加工物の形状を整え、且つ熱圧締を行う構成としているので、継ぎ目状の欠陥も発生しない。また、第１の領域と第２の領域にディスタンスバーを設けることによって、第１の領域と第２の領域とで被加工物の厚みや荷重を変えることができる。例えば、第１の領域においては熱盤の間隔を大きめにとることによって被加工物に加わる荷重を小さくし、且つ第２の領域においては熱盤の間隔を小さくして被加工物に大きな荷重を加えることができる。また、被加工物が熱圧締の過程で反応して収縮又は膨張するような材料を用いている場合は、各領域の熱盤間隔を収縮または膨張の程度を考慮した大きさに調整することによって、最終的に所望の厚みの被加工物を得ることができる。例えば、熱圧締の工程中に収縮する材料を被加工物とする場合は、第２の領域における熱盤の間隔をより一層小さくして所望の荷重、厚みで熱圧締が行われるようにする。
【手続補正４】
【補正対象書類名】明細書
【補正対象項目名】００１０
【補正方法】変更
【補正の内容】
【００１０】
また、上部及び下部熱盤は夫々一体に構成されてもよい。
【手続補正５】
【補正対象書類名】明細書
【補正対象項目名】００１１
【補正方法】変更
【補正の内容】
【００１１】
また、上部及び下部定盤は夫々一体に構成されてもよい。
【手続補正６】
【補正対象書類名】明細書
【補正対象項目名】００１５
【補正方法】変更
【補正の内容】
【００１５】
また、別の観点では、本発明の連続プレス装置は、下面が平坦に形成された上部熱盤と、上部熱盤の下面と対向するよう設けられ、上面が平坦に形成された下部熱盤と、上部及び下部熱盤に定められた第１の領域を第１の温度に加熱する第１の加熱手段と、上部及び下部熱盤において、第１の領域に対して各熱盤の面方向に隣接して定められた第２の領域を第１の温度より高い第２の温度に加熱する第２の加熱手段と、上部及び下部熱盤の少なくとも一方を駆動して上部熱盤と下部熱盤との間に配置された被加工物を押圧する押圧手段と、第１の領域から第２の領域に向う搬送方向に該被加工物を搬送する被加工物搬送手段と、を有し、被加工物搬送手段は、一対のプーリを有する下側プーリ対に掛け渡され、その上に該被加工物が載置される下側無端ベルトと、一対のプーリを有する上側プーリ対に掛け渡され、該被加工物を介して下側無端ベルトと対向するように配置されている上側無端ベルトと、上側無端ベルトと下側無端ベルトとを駆動するベルト駆動手段とを有し、下側無端ベルトの上側の部分及び上側無端ベルトの下側の部分は、上部及び下部熱盤の間に配置されており、ベルト駆動手段は、上側無端ベルトの下側の部分及び下側無端ベルトの上側の部分を介して該被加工物を把持可能なグリッパと、該搬送方向及び、該搬送方向の反対方向である後退方向にグリッパを往復移動させるグリッパ駆動手段と、を有し、該被加工物を、下側無端ベルトの上側の部分と上側無端ベルトの下側の部分とで挟んだ状態で搬送するとともに、上部及び下部熱盤によって下側無端ベルトの上側の部分と上側無端ベルトの下側の部分ごと押圧するようになっている。また、グリッパ駆動手段は、例えばシリンダ機構によってグリッパを往復移動させる。また、グリッパは、例えば上部及び下部熱盤に対して搬送方向側又は後退方向側のいずれかに配置されている。また、下側プーリ対のプーリの一方は他方に対して離間する方向に付勢されており、上側プーリ対のプーリの一方は他方に対して離間する方向に付勢されている。これによって、無端ベルトにテンションを与えることができる。また、下側プーリ対のプーリの一方は、他方に対して搬送方向及び後退方向に微小移動可能に支持されており、上側プーリ対のプーリの一方は、他方に対して搬送方向及び後退方向に微小移動可能に支持されている。本構成においては、無端ベルトの一部が熱盤間に配置されているため、上部熱盤が下部熱盤に近接すると、ベルトが引っ張られることになる。この構成においては、プーリ対の一方を微小移動可能とすることによって、ベルトが熱盤によって引っ張られた時に生じる過度の張力を緩和し、ベルトの破断が防止される。
【手続補正７】
【補正対象書類名】明細書
【補正対象項目名】００１６
【補正方法】削除
【補正の内容】
【手続補正８】
【補正対象書類名】明細書
【補正対象項目名】００２４
【補正方法】変更
【補正の内容】
【００２４】
以下、真空チャンバ１０の構造につき説明する。真空チャンバ１０には、真空チャンバ１０からエアを抜くための真空ポンプ１５ａと、真空チャンバ１０にエアを導入するための弁１５ｂが設けられている。本実施形態においては、真空ポンプ１５ａの作動及び弁１５ｂの開閉を制御することにより、真空チャンバ１０の内部の気圧を真空と大気圧の間で変化させることができる。すなわち、プリプレグシートの補充や製品の取り出し時には、真空チャンバ１０内の気圧を大気圧とし、また、被加工物の熱圧締時には真空チャンバ１０内の気圧を真空とする。
【手続補正９】
【補正対象書類名】明細書
【補正対象項目名】００２９
【補正方法】変更
【補正の内容】
【００２９】
搬送機構１００の上側ベルト機構１２０は、下流側のプーリ１２１、上流側のプーリ１２２及び両プーリ１２１、１２２に掛け渡されている無端ベルトであるスチールベルト１２３を有する。プーリ１２１、１２２の回転軸１２１ａ、１２２ａは、夫々軸受１２１ｂ、１２２ｂを介してフレーム部２００の上部フレーム部２１０に回転可能に取り付けられている。ここで、軸受１２１ｂ及び１２２ｂは、互いに離れる方向に付勢されており、スチールベルト１２３には所定の張力が付与されている。このため、スチールベルト１２３の下側の部分１２３ａを上流側から下流側に移動させると、スチールベルト１２３とプーリ１２１、１２２との間に働いている摩擦力によって、プーリ１２１、１２２は図中時計回り方向に回動する。
【手続補正１０】
【補正対象書類名】明細書
【補正対象項目名】００３３
【補正方法】変更
【補正の内容】
【００３３】
また、図２に示されているように、搬送機構１００の下側ベルト機構１４０は、下流側のプーリ１４１、上流側のプーリ１４２及び両プーリ１４１、１４２に掛け渡されている無端ベルトであるスチールベルト１４３を有する。プーリ１４１、１４２の回転軸１４１ａ、１４２ａは、夫々軸受１４１ｂ、１４２ｂを介してフレーム部２００の下部フレーム部２３０に回転可能に取り付けられている。ここで、軸受１４１ｂ及び１４２ｂは、互いに離れる方向に付勢されており、スチールベルト１４３には所定の張力が付与されている。このため、スチールベルト１４３の上側の部分１４３ａを上流側から下流側に移動させると、スチールベルト１４３とプーリ１４１、１４２との間に働いている摩擦力によって、プーリ１４１、１４２は図中反時計回り方向に回動する。
【手続補正１１】
【補正対象書類名】明細書
【補正対象項目名】００３５
【補正方法】変更
【補正の内容】
【００３５】
上側ベルト機構１２０のスチールベルト１２３の下の部分１２３ａ、下側ベルト機構１４０のスチールベルト１４３の上の部分１４３ａ、及び両スチールベルトに挟まれた上下一対のプリプレグシートＳからなる被加工物Ｍは、グリッパ１５０によって搬送方向に送られるようになっている。以下、このグリッパ１５０の構造につき説明する。
【手続補正１２】
【補正対象書類名】明細書
【補正対象項目名】００３８
【補正方法】変更
【補正の内容】
【００３８】
図４、５に示されているように、把持プレート１５１、１５２は、スチールベルトの幅方向に伸びる板状の部材であり、夫々グリッパ１５０のボディ１５５に対して鉛直方向にスライド可能に構成されている。より具体的には、ボディ１５５の搬送方向側の側面には、把持プレート支持レール１５５ｂが設けられており、この把持プレート支持レール１５５ｂと各把持プレートに設けられた係合部１５１ａ、１５２ａ（図６、７）とが係合することによって、把持プレート１５１、１５２の移動方向が鉛直方向のみとなるよう規制されている。把持プレート１５１、１５２は油圧又は空圧駆動のシリンダ１５６ａ、１５７ａとシリンダロッド１５６ｂ、１５７ｂを有する第１及び第２シリンダ駆動機構１５６、１５７によって、互いに近接／離間するように駆動される。シリンダ駆動機構１５６のシリンダ１５６ａはボディ１５５に固定されており、シリンダ１５６ｂの先端は下側把持プレート１５２に固定されている。従って、シリンダ駆動機構１５６を駆動することによって下側把持プレート１５２を上下動させることができる。また、シリンダ駆動機構１５７のシリンダ１５７ａは下側把持プレート１５２の下面に固定されており、シリンダロッド１５７ｂは上側把持プレート１５１に固定されている。従って、シリンダ駆動機構１５７を駆動することによって、上側把持プレート１５１を下側把持プレート１５２に対して近接／離間させることができる。なお、図４及び５に示されているように、第１シリンダ機構１５６のシリンダ１５６ａは、ボディ１５５の夫々に一つずつ（すなわち下側把持プレート１５２の幅方向両端に）設けられており、また、第２シリンダ機構１５７のシリンダ１５７ａは、下側把持プレート１５２の４隅に一つずつ配置されている。
【手続補正１３】
【補正対象書類名】明細書
【補正対象項目名】００４１
【補正方法】変更
【補正の内容】
【００４１】
グリッパ１５０による被加工物Ｍの搬送は以下の手順で行われる。まず、グリッパ１５０が上流側に後退した初期状態（図８（ａ））から、シリンダ駆動機構１５６、１５７を駆動して把持プレート１５１、１５２を互いに近接させる。すると、図８（ｂ）のように、グリッパ１５０の把持プレート１５１、１５２がスチールベルト１２３、１４３及び被加工物を挟んだ状態となる。
【手続補正１４】
【補正対象書類名】明細書
【補正対象項目名】００４３
【補正方法】変更
【補正の内容】
【００４３】
グリッパ１５０は、ホットプレス機構３００の手前まで移動した（図４中一点鎖線にて示されている位置）後、把持プレート１５１、１５２を互いに遠ざけるように駆動してスチールベルト１２３、１４３及び被加工物Ｍを開放する（図８（ｄ））。次いで、グリッパ１５０は後退方向に後退する。この時、把持プレート１５１、１５２はスチールベルト１２３、１４３を挟み込んでいないので、グリッパ１５０が後退してもスチールベルト１２３、１４３及びその間にある被加工物Ｍは動かない。この結果、図８（ａ）の初期状態に戻る。そして、再び把持プレート１５１、１５２の間にスチールベルト１２３、１４３及び被加工物Ｍを挟み込んで搬送方向に移動する。このように、把持プレート１５１、１５２を開閉させながらグリッパ１５０を往復移動させることによって、間欠的にスチールベルト１２３、１４３を搬送方向に移動させることができ、これによって被加工物が搬送される。
【手続補正１５】
【補正対象書類名】明細書
【補正対象項目名】００４４
【補正方法】変更
【補正の内容】
【００４４】
グリッパ１５０の前進／後退は、シリンダ機構によって行われる。図２に示されるように、シリンダ機構を構成するシリンダ１５３は、下部フレーム部２３０に固定されている。そして、シリンダ１５３の中に一端が挿置されるピストン１５４は、リンク機構１５４ａを介してグリッパ１５０のボディ１５５に取り付けられる。そして、シリンダ１５３を駆動してピストン１５４を進退させることによって、グリッパ１５０は前進／後退する。なお、図５及び６に示されているように、シリンダ１５３とピストン１５４、リンク機構１５４ａは夫々２つずつ設けられている。
【手続補正１６】
【補正対象書類名】明細書
【補正対象項目名】００４５
【補正方法】変更
【補正の内容】
【００４５】
次いで、ホットプレス機構３００の構造につき説明する。図９は、ホットプレス機構３００の側断面図であり、また、図１０はホットプレス機構３００を下流側から投影した正面図（図２のＩＩ−ＩＩ線図）である。図９に示されるように、ホットプレス機構３００は、上下方向に移動可能に構成された上部熱盤３２２と、固定されている下部熱盤３２４との間で被加工物を熱圧締するよう構成された装置である。上部フレーム部２１０に搬送方向側及び後退方向側から上部熱盤支持フレーム３１２が固定支持されており、上部熱盤３２２は、上部熱盤支持フレーム３１２の下から熱盤移動用シリンダ機構３７０及び可動定盤３３６を介して吊り下げられている。また、下部熱盤３２４は、下部フレーム部２３０の上に支柱２４４を介して固定支持されているテーブル定盤３１４上に固定されている。
【手続補正１７】
【補正対象書類名】明細書
【補正対象項目名】００４７
【補正方法】変更
【補正の内容】
【００４７】
また、本実施形態においては、熱盤移動用シリンダ機構３７０によって上部熱盤３２２を降下させて被加工物が熱盤間に挟まれた状態とした後に、上部熱盤３２２を下方に押圧してプレスを行うプレスシリンダ機構３４０が、上部熱盤支持フレーム３１２に６つ備えられている。各プレスシリンダ機構３４０は、ピストン３４２と、ピストン３４２が挿置されるスリーブ３４４と、スリーブ３４４を上部熱盤支持フレーム３１２の下面に固定するための固定用プレート３４６と、を有する。固定用プレート３４６は、例えば溶接などの手段によってスリーブ３４４と一体化しており、固定用プレート３４６をボルト３４８（図１０）によって上部熱盤支持フレーム３１２に締結することによって、スリーブ３４４は上部熱盤支持フレーム３１２に取り付けられる。また、可動定盤３３６は、ピストン３４２の下端に固定されている。従って、図示しない油圧ポンプによってスリーブ３４４内の油圧を制御することによって、所望の荷重で被加工物をプレスすることができる。
【手続補正１８】
【補正対象書類名】明細書
【補正対象項目名】００４９
【補正方法】変更
【補正の内容】
【００４９】
上部熱盤３２２、下部熱盤３２４共に、ヒータ（不図示）を内蔵しており、各熱盤を所望の温度に昇温させることができる。また、上部熱盤３２２の熱がピストン側に逃げないように、可動定盤３３６と上部熱盤３２２との間には、断熱材３３４が設けられている。同様に、下部熱盤３２４の熱がテーブル定盤３１４側に逃げないように、テーブル定盤３１４と下部熱盤３２４との間には断熱材３３８が設けられている。
【手続補正１９】
【補正対象書類名】明細書
【補正対象項目名】００５４
【補正方法】変更
【補正の内容】
【００５４】
本実施形態においては、プレスシリンダ機構４４０を駆動して上部冷却盤４２２を降下させることによって、被加工物を上部冷却盤４２２と下部冷却盤４２４に密着させることができる。この時、被加工物の温度は両冷却盤４２２、４２４より高いため、被加工物から冷却盤４２２、４２４に向って熱の移動が発生し、被加工物の温度は低下する。従って、ホットプレス機構３００によって熱圧締された被加工物をコールドプレス機構４００によって冷却することができる。なお、上部冷却盤４２２及び下部冷却盤４２４の搬送方向寸法は、グリッパ１５０による一回の送り量よりもわずかに大きいので、ホットプレス機構３００から順次排出される熱圧締済の被加工物は、漏れなくコールドプレス機構４００によって冷却されるようになっている。
【手続補正２０】
【補正対象書類名】明細書
【補正対象項目名】００６４
【補正方法】変更
【補正の内容】
【００６４】
次いで、プレスシリンダ機構３４０の油圧を低減させると共に熱盤移動用シリンダ機構３７０によって熱盤３２２、３２４を互いに離間させて被加工物Ｍを開放する。さらに、グリッパ１５０によって、被加工物Ｍを搬送方向に送る。この結果、被加工物Ｍの第１部分は第２加熱ゾーン３００ｃに移動し、第２部分が第１加熱ゾーン３００ｂに移動し、且つ第３部分が予熱ゾーン３００ａに移動する。次いで、熱盤３２２、３２４を互いに近接させるように熱盤移動用シリンダ機構３７０を駆動するとともに、プレスシリンダ機構３４０を駆動して上部熱盤３２２に荷重を加える。これによって、被加工物Ｍの第１部分は第２加熱ゾーン３００ｃで、第２部分は第１加熱ゾーン３００ｂで、第３部分は予熱ゾーン３００ａで、それぞれプレスされる。ここで、第２加熱ゾーン３００ｃにおける熱盤３２２、３２４の温度は第１加熱ゾーン３００ｂと大凡同じである。被加工物Ｍは、第１、第２加熱ゾーン３００ｂ、３００ｃで順次加熱されることによって、熱硬化反応を最後まで進行させる。従って、被加工物Ｍの第１部分は、所望の断面形状に成形される。また、第１加熱ゾーン３００ｂでは、第２部分の熱硬化反応がある程度進行する。また、予熱ゾーン３００ａでは、第３部分の形状が整えられる。なお、第２加熱ゾーン３００ｃにて被加工物Ｍの熱硬化反応がさらに進行して被加工物が収縮するので、第２加熱ゾーン３００ｃにて被加工物をプレスする際の熱盤の間隔が、第１加熱ゾーン３００ｂにおける熱盤間隔よりも多少狭くなるように、ディスタンスバー３５２、３５４の間隔は定められている。
【手続補正２１】
【補正対象書類名】明細書
【補正対象項目名】００６５
【補正方法】変更
【補正の内容】
【００６５】
次いで、プレスシリンダ機構３４０の油圧を低減させると共に熱盤移動用シリンダ機構３７０によって熱盤３２２、３２４を互いに離間させて被加工物Ｍを開放する。さらに、グリッパ１５０によって、被加工物Ｍを搬送方向に送る。この結果、被加工物Ｍの第１部分はホットプレス機構３００から排出され、コールドプレス機構４００の冷却盤４２２、４２４の間に搬送される。また、第２部分は第２加熱ゾーン３００ｃに移動し、第３部分が第１加熱ゾーン３００ｂに移動し、且つ第４部分が予熱ゾーン３００ａに移動する。次いで、熱盤３２２と３２４及び冷却盤４２２と４２４を互いに近接させるように熱盤移動用シリンダ機構３７０及びプレスシリンダ機構４４０（図２）を駆動し、プレスシリンダ機構３４０を駆動して上部熱盤３２２に荷重を加える。これによって、被加工物Ｍの第１部分と冷却盤４２２、４２４が当接して第１部分は冷却される。また、第２部分は第２加熱ゾーン３００ｃで、第３部分は第１加熱ゾーン３００ｂで、第４部分は予熱ゾーン３００ａで、それぞれプレスされる。
【手続補正２２】
【補正対象書類名】図面
【補正対象項目名】図１
【補正方法】変更
【補正の内容】
【図１】
2009028730.tif 000001
【手続補正２３】
【補正対象書類名】図面
【補正対象項目名】図２
【補正方法】変更
【補正の内容】
【図２】
2009028730.tif 000002
【手続補正２４】
【補正対象書類名】図面
【補正対象項目名】図４
【補正方法】変更
【補正の内容】
【図４】
2009028730.tif 000003